(57)【特許請求の範囲】
【請求項１】
端板と側板からなる矩形枠状の架台、及び前記架台に載置連結する横断分割された床板体で構成され、架台が端板よりも短い略同一長の左右分割側板部と、端板及び側板全長から前記分割側板長を除いた残余の側板部からなる２個のＬ状板部で形成されると共に、枠状に配置した際の各連結箇所をヒンジ部としてなり、床板体が、横桟上に縦細板を固着した簀子状に形成され、前記枠状に配置した架台上に載置した際の前記横桟と架台上端面の当接箇所に、密嵌する嵌合穴と嵌合突起を設けて連結固定してなることを特徴とする組立ベッド。
【請求項２】
床板体が、縦方向で４分割され、架台に載置固定した四周部分が架台より突出する大きさに形成してなる請求項１記載の組立ベッド。
【請求項３】
床板体が、各々２本の横桟を備えた各２個の端部床板体と中央床板体からなり、端部床板体と中央床板体の各横桟位置が、裏面を対向させた際に互いに噛み合う位置に設けてなる請求項１又は２記載の組立ベッド。
【請求項４】
矩形枠状の各隅部に対応して端板の１／２長以下の端板部と端板長以下の側板部から構成された４個のＬ状板であって、架台に床板体を載置固定する連結位置に同一構造の連結部を設けた嵩上げ部材を付属させてなる請求項１乃至３記載のいずれかの組立ベッド。
【請求項５】
架台等を桐材で形成してなる請求項１乃至３記載の何れかの組立ベッド。
【発明の詳細な説明】
【技術分野】
【０００１】
本発明は、組立ベッドに関するものである。
【背景技術】
【０００２】
分解時にコンパクトに纏めることができて運搬性や収納性に優れた組立ベッド（マットレスを備えていない）は従前より種々提案されている。例えば特許文献１（実開平５−９３３０３号公報）は、ヘッドボ―ドとフットボ―ドと、長手方向に分割したサイドレ―ルを連結して構成したベッドが示されている。
【０００３】
また特許文献２（登録実用新案３２０２７４２号公報）には、ヘッドボードとフットフレームと左右の分割サイドフレームと２つの分割床板で構成したベッドが示されている。更に特許文献３（特開２０１５−２０２１６１号公報）には、一対の端部フレームと、端部フレームの間に架設される側部フレームと３分割された床板で構成されたベッドが示されている。
【先行技術文献】
【特許文献】
【０００４】
【特許文献１】実開平５−９３３０３号公報。
【特許文献２】登録実用新案３２０２７４２号公報。
【特許文献３】特開２０１５−２０２１６１号公報。
【発明の概要】
【発明が解決しようとする課題】
【０００５】
従前の分割ベッド（特許文献１，２）は基本的にネジで連結する構造であり、組立分解作業が煩瑣である。また螺子連結しない特許文献３記載のベッドは、サイドフレームが分割されておらずコンパクト化に課題がある。また床板部材は２分割か三分割であり、運搬性と収納性に課題がある。
【０００６】
そこで本発明は、螺子連結で架台の組み立てを行わない構造の新規な組立ベッドを提案したものである。
【課題を解決するための手段】
【０００７】
本発明の請求項１記載に係る組立ベッドは、端板と側板からなる矩形枠状の架台、及び前記架台に載置連結する横断分割された床板体で構成され、架台が端板よりも短い略同一長の左右分割側板部と、端板及び側板全長から前記分割側板長を除いた残余の側板部からなる２個のＬ状板部で形成されると共に、枠状に配置した際の各連結箇所をヒンジ部としてなり、床板体が、横桟上に縦細板を固着した簀子状に形成され、前記枠状に配置した架台上に載置した際の前記横桟と架台上端面の当接箇所に、密嵌する嵌合穴と嵌合突起を設けて連結固定してなることを特徴とするものである。
【０００８】
而して前記組立ベッドは、左右の分割側板を伸長すると架台は矩形枠状になり、当該架台上に分割された各床板体を載置して嵌合穴と嵌合突起を嵌合することで、ビス等を使用することなく容易にベッドが組み立てられる。また左右の分割側板を架台内方に折曲して折畳むと左右分割側板はＬ状板部を組み合わせた枠状内に納まり、分割した床板体と一緒に積層することで、コンパクトに纏められる。
【０００９】
また本発明の請求項２記載に係る組立ベッドは、床板体が、縦方向で４分割され、架台に載置固定した四周部分が架台より突出する大きさに形成してなるものである。従って組み立てられるベッドの大きさ（床板体を組み合わせた）よりも、架台を小さくできる。
【００１１】
また本発明の請求項３記載に係る組立ベッドは、各々２本の横桟を備えた各２個の端部床板体と中央床板体からなり、端部床板体と中央床板体の各横桟位置が、裏面を対向させた際に互いに噛み合う位置に設けてなるもので、端部床板体と中央床板体の裏面を組み合わせることで積層高さが低くなりコンパクト収納に貢献する。
【００１２】
また本発明の請求項４記載に係る組立ベッドは、矩形枠状の各隅部に対応して端板の１／２長以下の端板部と端板長以下の側板部から構成された４個のＬ状板であって、架台に床板体を載置固定する連結位置に同一構造の連結部を設けた嵩上げ部材を付属させてなるもので、架台上に嵩上げ部材を連結し、その上に床板体を載置固定することで、高さ位置を高くした組立ベッドを得ることができる。
【発明の効果】
【００１３】
本発明の構成は上記のとおりで、架台は折りたたみ状態から拡げるだけで良く、その上に床板体を載置固定するのみで容易にベッドを組み立てることができ、組立前はコンパクトに纏めることができ、組立作業性及び収納運搬性に優れた組立ベッドを提供できたものである。
【図面の簡単な説明】
【００１４】
【図１】本発明の実施形態の全体の平面図（一部裁断）。
【図２】同正面図（嵩上げの使用及び非使用時）。
【図３】同架台と床板体の載置固定説明図（嵩上げ部材使用時の断面図）。
【図４】同図（一部斜視図）。
【図５】同架台の折り畳み説明図。
【図６】同床板材の積層状態の説明図。
【図７】同全体の収納時状態の斜視図。
【発明を実施するための形態】
【００１５】
次に本発明の実施形態ついて説明する。実施形態に示した組立ベッドは、架台１と、４個の嵩上げ部材２と、各々２個の端部床板体３ａ及び中央床板体３ｂで構成される。前記の各部材は好ましくは桐材で形成すると、軽量で寸法安定性があり耐久性に優れたものとなる。
【００１６】
架台１は例えばシングルベッド用であれば、ベッドの大きさ（例えば１９３×約９８ｃｍ）よりも４周ともに１０ｃｍ程度小さくした矩形枠状で、左右２枚の分割側板部１１と２個のＬ状板部１２で矩形板枠を構成する。
【００１７】
分割側板部１１は、端板（７８ｃｍ）１２１より短い長さ（７４．２〜７２．４：矩形枠状に伸長した際の板厚分とヒンジ分を考慮する）であり、Ｌ状板部１２は、端板１２１と側板部１２２からなる。前記の側板部１２２は、架台枠の側板全長から前記分割側板部１１の長さを除いた残余の長さとするものである。
【００１８】
前記の分割側板部１１及びＬ状板部１２は枠状に配置すると共に、分割側板部１１が当該枠内方に折曲可能にヒンジ構造で連結してなり、更に分割側板部１１及びＬ状板部１２の上方端面の所定位置には、適宜大きさの嵌合突起１３を設けてなるものである。
【００１９】
嵩上げ部材２は、架台１の板材と同一厚の板材で形成し、端板対応部２１と側板対応部２２を備えた４個のＬ状板で、端板対応部２１は端板の１／２長以下（２０ｃｍ）で側板対応部２２は側板長（１９３ｃｍ）の半分の長さとしたもので、架台１の嵌合突起１３と対応する同一位置の下端面に嵌合穴２３を設け、上端面に嵌合突起２４を設けたものである。
【００２０】
端部床板体３ａ及び中央床板体３ｂは、各々２本の横桟３１ａ，３１ｂに縦細板３２ａ，３２ｂを固着した簀子状で、特に端部床板体３ａの一方の横桟３１ａは、架台１の端板位置に対応して設け、中央床板体３ｂの横桟３１ｂの位置は、端部床板体３ａと中央床板体３ｂを裏面で対向させた際に横桟３２ａ，３２ｂが互いに噛み合う箇所に設けてなるものである。
【００２１】
また全横桟３１ａ，３１ｂにおける嵌合突起１３，２４と対面する位置に嵌合穴３３を設けなる。
【００２２】
而して前記部材の組立によってベッドを形成できるもので、架台１は、ヒンジ部分の回動で左右の分割側板部１１を伸長すると架台１は矩形枠状になる。次に必要に応じて嵩上げ部材２を積層する。この嵩上げ部材２の積層連結は嵌合突起１３と嵌合穴２３の嵌合でなされるもので、嵩上げ部材２を使用しても、また使用しなくとも架台１の嵌合突起１３と嵩上げ部材２の嵌合突起２４の平面上の位置は同一である。
【００２３】
次に架台１上若しくは積層連結した嵩上げ部材２上に、端部床板体３ａ及び中央床板体３ｂを載置するもので、前記の載置に際しては各横桟３１ａ，３１ｂに設けた嵌合穴３３と嵌合突起１３又は２４と嵌合して固定され、ベッドが組み立てられるものである。
【００２４】
また組立前の収納状態及びベッドを分解して収納運搬時は、各部材を分離した状態で、架台１は、図５に示すように分割側板部１１を架台内方に折曲して折畳むと左右分割側板部１１はＬ状板部１２を組み合わせた枠状内に納まる。また床板体３ａ，３ｂは、図６に示すように端部床板体３ａと中央床板体３ｂの裏面を組み合わせると、横桟３１ａ，３１ｂが噛み合う状態となり積層高さを低くしてコンパクト化することができる。
【００２５】
従って図７に示すように積層した端部床板体３ａと中央床板体３ｂの上に、端板１２１を長尺方向となる小型の矩形枠状に折り畳まれた架台１を重ね合わせ、架台１の外周に嵩上げ部材２を添わせることで、全部材がコンパクトに収納され、運搬が容易となるものである。
【符号の説明】
【００２６】
１      架台
１１    分割側板部
１２    Ｌ状板部
１２１    端板
１２２    側板部
１３    嵌合突起
２      嵩上げ部材
２１    端板対応部
２２    側板対応部
２３    嵌合穴
２４    嵌合突起
３ａ    端部床板体
３ｂ    中央床板体
３１ａ，３１ｂ  横桟
３２ａ，３２ｂ  縦細板
３３    嵌合穴
【図１】
0006397841.tif 000002
【図２】
0006397841.tif 000003
【図３】
0006397841.tif 000004
【図４】
0006397841.tif 000005
【図５】
0006397841.tif 000006
【図６】
0006397841.tif 000007
【図７】
0006397841.tif 000008